(57)【要約】  【課題】熱交換器室のコーナ部に立設した支柱部と熱交換器との間で空気の流れを変えて異音が生じないようにした空気調和機の室外機を提供する。  【解決手段】熱交換器６の折曲部６ａに対向して、底板３とこれに平行に設置された天板との間のコーナ部８に支柱部９を立設してなる空気調和機の室外機において、前記支柱部９が、背面に対して略平行に配置される背面支持部９ａと、一側面に対して略平行に配置される側面支持部９ｂと、背面支持部９ａおよび側面支持部間９ｂの角部を接続する角面支持部９ｃと、背面支持部９ａから内側に折り返される背面折返し部９ｄと、側面支持部９ｂから内側に折り返される側面折返し部９ｅとを備え、少なくとも前記背面支持部９ａおよび前記側面支持部９ｂに複数の通気穴１０が形成されてなる構成にした。【選択図】図２
2011196665.tif 000002
【特許請求の範囲】
【請求項１】
背面および一側面に吸込口を設け、前面に吹出口を設けた本体内が、底板上に立設した仕切板により圧縮機を設けた圧縮機室と、平面視でＬ字状に折曲形成され前記吸込口に臨ませた熱交換器を設けた熱交換器室とに区画され、前記熱交換器の折曲部に対向して、前記底板とこれに平行に設置された天板との間のコーナ部に支柱部を立設してなる空気調和機の室外機において、
前記支柱部が、背面に対して略平行に配置される背面支持部と、一側面に対して略平行に配置される側面支持部と、背面支持部および側面支持部間の角部を接続する角面支持部と、背面支持部から内側に折り返される背面折返し部と、側面支持部から内側に折り返される側面折返し部とを備え、少なくとも前記背面支持部および前記側面支持部に複数の通気穴が形成されてなることを特徴とする空気調和機の室外機。
【請求項２】
前記通気穴の周縁部に、内側に突出する周縁フランジが形成されてなることを特徴とする請求項１に記載の空気調和機の室外機。
【発明の詳細な説明】
【技術分野】
【０００１】
本発明は、近接配置された空気調和機の室外機に係わり、より詳細には、熱交換器室のコーナ部に立設した支柱部と熱交換器との隙間で空気流による異音が生じないようにした構造に関する。
【背景技術】
【０００２】
従来の空気調和機の室外機として、図３に示すように、ケーシング２の角部となる熱交換器室のコーナ部８に立設した支柱部９と底板３との干渉を回避しながら、吸込口２ａが設けられているケーシング２の角部の強度を向上させるようにしたものが知られている。
【０００３】
すなわち、熱交換器室のコーナ部８に立設した支柱部９は、ケーシング２の角部において、ケーシング２の背面に対して略平行に配置される背面支持部９１と、この背面支持部９１から熱交換器室の内側へ折り返された折返し部９２とを有し、底板３には、底板３と支柱部９の折返し部９２との干渉を回避しつつ、底板３と支柱部９とを結合させる回避結合部９３が設けられている（例えば、特許文献１参照）。
【０００４】
しかしながら、例えば、図示はしないが複数の室外機１が横方向に近接配置された場合、熱交換器室の一側面に設けられた吸込口２ａに、隣り合う室外機１の圧縮機室の側部が近接することになり、熱交換器室の一側面に設けられた吸込口２ａに向かう空気は、隣り合う室外機１同士の隙間を流通することになることになるため流れの速度が変化することになる。
【０００５】
そのため、隣り合う室外機１同士の間隔が所定の大きさよりも小さい（狭い）場合には、この小さい隙間を流通して吸込口２ａに向かう空気流の速度が速くなり、とくに、熱交換器室のコーナ部８に立設した支柱部９と熱交換器６の折曲部６ａとの隙間においては、この隙間を速度が速くなった空気流が流通することになるため異音が生じてしまう虞があった。
【０００６】
その場合、熱交換器室のコーナ部８に立設した支柱部９と、熱交換器６の折曲部６ａとの隙間を大きく確保することで、該箇所を流通する空気流によって異音が生じてしまう虞はなくなるが、近年、省エネを推進するため、あるいは室外機１の小型化を図るため、支柱部９と熱交換器６の折曲部６ａとの隙間を大きく確保できにくい傾向にある。
【０００７】
これにより、室外機１の熱交換器室を所定の大きさに抑えて熱交換器６を大型化した場合は、熱交換器６の折曲部６ａと支柱部９との隙間が狭くなることから、この狭くなった隙間を速度が速くなった空気流が流通することになるため異音が生じやすいという問題点を有していた。
【先行技術文献】
【特許文献】
【０００８】
【特許文献１】特開２００９−１０３３６１号公報
【発明の概要】
【発明が解決しようとする課題】
【０００９】
そこで、本発明は上述した課題を解決するためになされたものであって、その目的は、近接配置された室外機の熱交換器室のコーナ部に立設した支柱部と、熱交換器との隙間で空気流による異音が生じないようにした空気調和機の室外機を提供することにある。
【課題を解決するための手段】
【００１０】
上述した目的を達成できるように構成するため、本発明は以下に示す特徴を備えている。
【００１１】
背面および一側面に吸込口を設け、前面に吹出口を設けた本体内が、底板上に立設した仕切板により圧縮機を設けた圧縮機室と、平面視でＬ字状に折曲形成され前記吸込口に臨ませた熱交換器を設けた熱交換器室とに区画され、前記熱交換器の折曲部に対向して、前記底板とこれに平行に設置された天板との間のコーナ部に支柱部を立設してなる空気調和機の室外機において、
前記支柱部が、背面に対して略平行に配置される背面支持部と、一側面に対して略平行に配置される側面支持部と、背面支持部および側面支持部間の角部を接続する角面支持部と、背面支持部から内側に折り返される背面折返し部と、側面支持部から内側に折り返される側面折返し部とを備え、少なくとも前記背面支持部および前記側面支持部に複数の通気穴が形成されてなることを特徴としている。
【００１２】
また、前記通気穴の周縁部に、内側に突出する周縁フランジが形成されてなることを特徴としている。
【発明の効果】
【００１３】
本発明によれば、近接配置された室外機の熱交換器室のコーナ部に立設した支柱部と、熱交換器との隙間で空気流による異音が生じないようにした空気調和機の室外機を提供できる。
【図面の簡単な説明】
【００１４】
【図１】本発明による空気調和機の室外機の説明図で、（Ａ）は前面側から見た外観斜視図であり、（Ｂ）は背面側から見た外観斜視図である。
【図２】本発明による空気調和機の室外機の説明図で、（Ａ）は横断面図であり、（Ｂ）は要部横断面図であり、（Ｃ）は図２（Ｂ）に示すＡ矢視図であり、（Ｄ）は図２（Ｃ）に示すＢ―Ｂ断面図である。
【図３】従来例による空気調和機の室外機の背面側から見た要部外観斜視図である。
【発明を実施するための形態】
【００１５】
以下、本発明を実施するための形態を、添付図面に基づいた実施例として詳細に説明する。
【００１６】
本発明による空気調和機の室外機（以下、室外機１という）は、図１（Ａ）および図１（Ｂ）と、図２（Ａ）とに示すように、室外機１の外郭をなす前後面および側面が板金製のケーシング２で構成され、ケーシング２の前面には板金製の前面カバー２０が着脱可能に設けられ、上面には板金製の天板７が設けられるとともに、底面には板金製の底板３が設けられている。
【００１７】
室外機１の背面および一側面には、外気を吸い込むための吸込口２ａが設けられるとともに、室外機１の前面には吹出口２ｂが設けられている。
【００１８】
また、室外機１の内部は、図２（Ａ）に示すように、底板３上に立設され、前後方向の中央部から後端部にかけて、圧縮機５が設けられた圧縮機室Ｅ側に傾斜する傾斜部４ａを備えた仕切板４によって、熱交換器６が設けられた熱交換器室Ｆと圧縮機室Ｅとに区画され、熱交換器室Ｆの背面および一側面に吸込口２ａが設けられるとともに、熱交換器室Ｆの前面に吹出口２ｂが設けられている。
【００１９】
熱交換器室Ｆには、折曲部６ａで折り曲げられることによって平面視でＬ字状に折曲形成された熱交換器６が、熱交換器室Ｆの背面および一側面に設けられた吸込口２ａを臨ませるように配置されるとともに、熱交換器室Ｆの背面に対向させた熱交換器６の背面部に対向するように送風機１１が配置されており、圧縮機室Ｅには、圧縮機５が設けられるとともに、電装品が収容された電装品箱１２が設けられている。
【００２０】
熱交換器６の折曲部６ａが配置されている熱交換器室Ｆのコーナ部８には、底板３と天板７との間に支柱部９が立設されることによって、例えば、熱交換器室Ｆの背面および一側面が通気部を備えた壁面として構成されるのではなく、熱交換器室Ｆの背面および一側面とも大きく開放されて通気性を良好にした吸込口２ａとして構成されるとともに、ケーシング２と、底板３と、天板７とを含む室外機１の筐体としての強度を高めることができるように構成されている。
【００２１】
室外機１は、例えば、図２（Ａ）に示すように複数台が横方向に近接配置された場合、熱交換器室Ｆの一側面に設けられた吸込口２ａに対向して、この吸込口２ａと、近接した室外機１の吸込口２ａが設けられていない他側面とが間隔ａを有して隣り合うことになり、この間隔ａが小さい（狭い）場合、空気流路が狭くなるため一側面に設けられた吸込口２ａに向かう空気流の速度が速まることになる。
【００２２】
隣り合う室外機１同士の間隔ａは、複数台が横方向に併設される設置スペースに余裕がなく互いに近接して設置する必要がある場合、送風機１１の送風性能にもよるが、例えば、３０ミリメートル乃至１５ミリメートルとなる範囲において互いに近接するように設置されるほど、間隔ａが近接している熱交換器室Ｆの一側面に設けられた吸込口２ａと、吸込口２ａが設けられていない室外機１の他側面との間を流通して、熱交換器室Ｆの一側面に設けられた吸込口２ａに向かう空気流の速度が速まることになり、とくに、コーナ部８に立設した支柱部９と熱交換器６の折曲部６ａとの隙間においては、この隙間を速度が速まった空気流が流通することになって異音が生じる虞がある。
【００２３】
そのため、本発明の実施の形態においては、熱交換器室Ｆの底板３および天板７間のコーナ部８に、熱交換器６の折曲部６ａとの間に隙間を有して立設された支柱部９は、図２（Ｂ）乃至図２（Ｄ）に示すように、熱交換器室Ｆの背面に対して略平行に配置される背面支持部９ａと、熱交換器室Ｆの一側面に対して略平行に配置される側面支持部９ｂと、背面支持部９ａと側面支持部９ｂとを接続してこれらの間に配置される角面支持部９ｃと、背面支持部９ａから熱交換器室Ｆの内側へ折り返された背面折返し部９ｄと、側面支持部９ｂから熱交換器室Ｆの内側へ折り返された側面折返し部９ｅとを備えた構成になっている。
【００２４】
支柱部９を構成する背面支持部９ａおよび側面支持部９ｂには、熱交換器６の折曲部６ａに対向する縦長状に形成された複数の通気穴１０が設けられた構成になっている。
【００２５】
縦長状に形成された通気穴１０は、背面支持部９ａの縦長形状に沿わせて単数の通気穴１０が設けられるのではなく、図２（Ｃ）に示すように縦長方向に複数設けられ、また、側面支持部９ｂの縦長形状に沿わせて単数の通気穴１０が設けられるのではなく、図２（Ｃ）に示すように縦長方向に複数設けられている。
【００２６】
これにより、背面支持部９ａの縦長形状に沿わせて単数の通気穴１０が設けられる構成に較べて、また、側面支持部９ｂの縦長形状に沿わせて単数の通気穴１０が設けられる構成に較べて、どちらも複数の通気穴１０同士の間に板金の部分を残した構成にすることができるため、支柱部９としての強度を低下させない構成になっている。
【００２７】
なお、背面支持部９ａに形成された複数の通気穴１０および側面支持部９ｂに形成された複数の通気穴１０は、図２（Ｃ）に示すように左右対象となる位置に設けられる構成にしてもよいが、通気穴１０を流通する空気流は、左右の通気穴１０を連通するのではないことから、図示はしないが、左右の上下位置をずらすことで千鳥状の配置となるように設けられた構成にしてもよい。
【００２８】
熱交換器室Ｆのコーナ部８に立設された支持部９は、縦長状の通気穴１０が千鳥状に設けられることにより、左右対象となる位置に設けられた構成に較べて、複数の通気穴１０が設けられたことによる強度の低下を抑えることができる構成になる。
【００２９】
これにより、吸込口２ａから熱交換器６の折曲部６ａに向けて吸い込まれる空気は、この熱交換器６の折曲部６ａと、支柱部９を構成する背面折返し部９ｄおよび側面折返し部９ｅの先端との隙間を、図２（Ａ）および図２（Ｂ）に示す矢印Ｃのように本来的に流通する空気流に加えて、図２（Ｂ）および図２（Ｄ）に示す矢印Ｄのように複数の通気穴１０からも流通することになる。
【００３０】
そのため、吸込口２ａから熱交換器６の折曲部６ａに向かう空気の流れは、本来的に流通する図２（Ａ）および図２（Ｂ）の矢印Ｃに示す空気流路だけでなく、図２（Ｂ）および図２（Ｄ）の矢印Ｄに示す空気流路が増えることになり、流通する経路の総断面積が増加することになって速度が急激に速まらない構成になり、支柱部９と熱交換器６の折曲部６ａとの間で異音が生じてしまう虞がなくなる。
【００３１】
吸込口２ａから熱交換器６の折曲部６ａに向かう空気の流れは、支柱部９を構成する背面支持部９ａ、側面支持部９ｂおよび角面支持部９ｃによって遮蔽されてしまうのではなく、背面支持部９ａおよび側面支持部９ｂに複数の通気穴１０が設けられたことで、速度を急激に速めないための流通経路が確保されている。
【００３２】
背面支持部９ａおよび側面支持部９ｂに設けられた複数の通気穴１０は、その周縁部に、図２（Ｂ）および図２（Ｄ）に示すように、熱交換器６の折曲部６ａに向けて突出する周縁フランジ１０ａが突設されており、これによって、複数の通気穴１０が筒形状に形成されることになる。
【００３３】
周縁フランジ１０ａを突設した複数の通気穴１０は、図２（Ｂ）乃至図２（Ｄ）に示すように背面支持部９ａおよび側面支持部９ｂに設けられる構成に限らず、図示はしないが、角面支持部９ｃに設けられるように構成してもよい。
【００３４】
複数の通気穴１０に周縁フランジ１０ａが突設されたことで、吸込口２ａから熱交換器６の折曲部６ａに向かう空気の流れは、周縁フランジ１０ａでガイドされながら複数の通気穴１０を流通することになり、また、複数の通気穴１０が設けられたことで支柱部９の強度が低下しないように、周縁フランジ１０ａによって強度を補強できるようにした構成になる。
【００３５】
なお、支柱部９は、背面支持部９ａと側面支持部９ｂとを接続してこれらの間に配置される角面支持部９ｃが、図２（Ｂ）乃至図２（Ｄ）に示すように、熱交換器６の折曲部６ａと同じように折り曲げることで曲面形状に形成された構成にしてもよく、または、図示はしないが、平面状に形成された構成にしてもよい。
【００３６】
また、支柱部９は、背面折返し部９ｄが、背面支持部９ａから熱交換器室Ｆの内側へ折り返されるとともに、側面折返し部９ｅが、側面支持部９ｂから熱交換器室Ｆの内側へ折り返されることにより、これら背面折返し部９ｄおよび側面折返し部９ｅが互いに略平行になるように形成され、または、両先端部が少許狭くなるか、もしくは、少許広くなるように形成されている。
【００３７】
これにより、吸込口２ａから熱交換器６の折曲部６ａに向かう空気の流れは、背面折返し部９ｄおよび側面折返し部９ｅよってガイドされながら流通することから、これら背面折返し部９ｄおよび側面折返し部９ｅによって熱交換器室Ｆのコーナ部８で遮蔽されることがなく、したがって、空気抵抗を強く受けてしまう虞がない。
【００３８】
すなわち、支柱部９は、背面支持部９ａと、側面支持部９ｂと、角面支持部９ｃと、背面折返し部９ｄと、背面折返し部９ｄとで、２（Ｄ）に示すように平面視（横断面図）で略Ｕ字状に形成され、かつ、背面支持部９ａと側面支持部９ｂとに複数の通気穴１０が形成されるとともに、複数の通気穴１０の周縁部に周縁フランジ１０ａが突設されたことによって、熱交換器室Ｆのコーナ部８において、吸込口２ａから熱交換器６の折曲部６ａに向かう空気の流れに対する空気抵抗を抑えた構成となり、また、複数の通気穴１０が形成されたことによる強度の低下を抑えた構成となる。
【００３９】
以上説明したように、熱交換器室Ｆのコーナ部８に支柱部９が立設された室外機１を横方向に近接配置し、３０ミリメートル乃至１５ミリメートル程度の間隔ａにおいて異音が生じていた場合であっても、本発明の構成により、支柱部９に複数の通気穴１０が形成され、複数の通気穴１０の周縁部に周縁フランジ１０ａが突設されたことで、吸込口２ａから熱交換器６の折曲部６ａに向かう空気流が、複数の通気穴１０にも流通するため、支柱部９を構成する背面折返し部９ｄおよび側面折返し部９ｅの先端と、熱交換器６の折曲部６ａとの隙間に偏らなくなって、この隙間における空気流によって異音が生じなくなる実験結果を得ている。
【００４０】
そのため、熱交換器６の折曲部６ａと、支柱部９を構成する背面折返し部９ｄおよび側面折返し部９ｅの先端との隙間が狭くなったとしても、該箇所における空気流は速度や方向が急激に変化しないように、支柱部９に複数の通気穴１０が形成され、通気穴１０の周縁部に周縁フランジ１０ａが突設されることで、熱交換器６の折曲部６ａと支柱部９との隙間における空気流によって異音が生じない構成になることから、熱交換器室Ｆ内に配置される熱交換器６の大型化および熱交換器室Ｆのコンパクト化に寄与できるようにした空気調和機の室外機となる。
【符号の説明】
【００４１】
１  空気調和機の室外機
２  ケーシング
２０  前面カバー
２ａ  吸込口
２ｂ  吹出口
３  底板
４  仕切板
４ａ  傾斜部
５  圧縮機
６  熱交換器
６ａ  折曲部
７  天板
８  コーナ部
９  支柱部
９ａ  背面支持部
９ｂ  側面支持部
９ｃ  角面支持部
９ｄ  背面折返し部
９ｅ  側面折返し部
１０  通気穴
１０ａ  周縁フランジ
１１  送風機
１２  電装品箱
ａ  間隔
Ｅ  圧縮機室
Ｆ  熱交換器室
【図１】
2011196665.tif 000003
【図２】
2011196665.tif 000004
【図３】
2011196665.tif 000005